(57)【要約】      （修正有）【課題】選別材料を比重差において大中小の三つに分別することができる選別装置を提供する。【解決手段】選別装置Ｍは、選別材料の受け入れ口１ａを有する本体１と、上方に向かって凸となる略Ｕ字形状の第１の通路１Ａと、第２の開口部６と第１の開口部５とを接続する第１の接続通路と、この中の空気を送る第１の送風機と、それを制御する第１の制御手段と、通路１Ａ１の下方端部に形成された第１の回収口１１と、本体内に設けられ、上方に向かって凸となる略Ｕ字形状の第２の通路１Ｂと、第３の開口部１４と第２の通路１Ｂ１とを接続する第３の接続通路１５と、この中の空気を第３の開口部１４から上昇部側第２の通路に向かう方向に送る第２の送風機と、それを制御する第２の制御手段と、上昇部側第２の通路に形成された第２の回収口１２と、下降部側第２の通路１Ｂ２の下方端部に形成された第３の回収口１７とを備えている。【選択図】図４
2011167623.tif 000002
【特許請求の範囲】
【請求項１】
選別材料の受け入れ口を有する本体と、
この本体内に設けられ、前記本体の上方に向かって凸となる略Ｕ字形状の第１の通路
と、
この第１の通路の上昇部を形成する上昇部側第１の通路と、
この上昇部側第１の通路の中途に設けられ、前記受け入れ口に連通する受け入れ連通
通路と、
前記第１の通路の下降部を形成する下降部側第１の通路と、
この下降部側第１の通路の中途に設けられ、下降部側第１の通路内の前記選別材料を運ぶ空気中、空気と下降する前記選別材料に分岐させる第１の分岐部と、
前記本体に設けられ、前記第１の分岐部より上方に位置する第１の開口部と、
前記本体に設けられ、前記第１の分岐部より下方に位置する第２の開口部と、
この第２の開口部と前記第１の開口部とを接続する第１の接続通路と、
この第１の接続通路内に設けられ、前記第１の接続通路内の空気を前記第１の開口部
から前記第２の開口部に向かう方向に送る第１の送風機と、
この第１の送風機を制御する第１の制御手段と、
前記本体内に設けられ、前記第２の開口部と前記上昇部側第１の通路とを接続する第
２の接続通路と、
前記上昇部側第１の通路の下方端部に形成された第１の回収口と、
前記本体内に設けられ、前記下降部側第１の通路の前記第１の分岐部より下方に位置
する部位に連通し、前記本体の上方に向かって凸となる略Ｕ字形状の第２の通路と、
この第２の通路の上昇部を形成する上昇部側第２の通路と、
前記第２の通路の下降部を形成する下降部側第２の通路と、
この下降部側第２の通路の中途に設けられ、下降部側第２の通路内の前記選別材料を運ぶ空気中、空気と下降する前記選別材料に分岐させる第２の分岐部と、
前記本体に設けられ、前記第２の分岐部より上方に位置する第３の開口部と、
この第３の開口部と前記上昇部側第２の通路とを接続する第３の接続通路と、
この第３の接続通路内に設けられ、前記第３の接続通路内の空気を前記第３の開口部
から前記上昇部側第２の通路に向かう方向に送る第２の送風機と、
この第２の送風機を制御する第２の制御手段と、
前記上昇部側第２の通路の中途に形成された第２の回収口と、
前記下降部側第２の通路の下方端部に形成された第３の回収口と
を備えていることを特徴とする選別装置。
【請求項２】
第２の送風機を制御する制御手段を備え、
この制御手段により前記第２の送風機の風速を上げて選別材料を第２の回収口に向か
うをことを阻止して、上昇部側第２の通路へ導く
ことを特徴とする請求項１記載の選別装置。
【発明の詳細な説明】
【技術分野】
【０００１】
本発明は、選別装置に係り、特に、選別材料を比重差において、大中小の三つに分別
することができる選別装置に関する。
【背景技術】
【０００２】
本件出願人は、先に、選別材料を比重差において、大小の二つに分別することができ
る魚類選別装置（選別装置）を提案した（例えば、特許文献１参照）。
【先行技術文献】
【特許文献】
【０００３】
【特許文献１】特許第２８３１２６９号公報
【発明の概要】
【発明が解決しようとする課題】
【０００４】
上記魚類選別装置（選別装置）にあっても、大小二つの分別に限らず、三つ以上に分
別することができる（特許文献１の段落番号[００５６]参照）。
即ち、魚類選別装置（選別装置）を二つ直列に配置し、第１の魚類選別装置（選別装
置）の第二回収口で回収した魚類を第２の魚類選別装置（選別装置）の投入口に連通する
ように構成すれば、軽い魚類を更に選別して、比重の重い大中小の三種類に選別すること
ができる。
しかしながら、かかる場合、装置全体が大がかりになるという問題点があった。
【０００５】
本発明は、上記の問題点を除去するようにした選別装置を提供することを目的とする
。
【課題を解決するための手段】
【０００６】
請求項１記載の選別装置は、選別材料の受け入れ口を有する本体と、この本体内に設けられ、前記本体の上方に向かって凸となる略Ｕ字形状の第１の通路と、この第１の通路の上昇部を形成する上昇部側第１の通路と、この上昇部側第１の通路の中途に設けられ、前記受け入れ口に連通する受け入れ連通通路と、前記第１の通路の下降部を形成する下降部側第１の通路と、この下降部側第１の通路の中途に設けられ、下降部側第１の通路内の前記選別材料を運ぶ空気中、空気と下降する前記選別材料に分岐させる第１の分岐部と、前記本体に設けられ、前記第１の分岐部より上方に位置する第１の開口部と、前記本体に設けられ、前記第１の分岐部より下方に位置する第２の開口部と、この第２の開口部と前記第１の開口部とを接続する第１の接続通路と、この第１の接続通路内に設けられ、前記第１の接続通路内の空気を前記第１の開口部から前記第２の開口部に向かう方向に送る第１の送風機と、この第１の送風機を制御する第１の制御手段と、前記本体内に設けられ、前記第２の開口部と前記上昇部側第１の通路とを接続する第２の接続通路と、前記上昇部側第１の通路の下方端部に形成された第１の回収口と、前記本体内に設けられ、前記下降部側第１の通路の前記第１の分岐部より下方に位置する部位に連通し、前記本体の上方に向かって凸となる略Ｕ字形状の第２の通路と、この第２の通路の上昇部を形成する上昇部側第２の通路と、前記第２の通路の下降部を形成する下降部側第２の通路と、この下降部側第２の通路の中途に設けられ、下降部側第２の通路内の前記選別材料を運ぶ空気中、空気と下降する前記選別材料に分岐させる第２の分岐部と、前記本体に設けられ、前記第２の分岐部より上方に位置する第３の開口部と、この第３の開口部と前記上昇部側第２の通路とを接続する第３の接続通路と、この第３の接続通路内に設けられ、前記第３の接続通路内の空気を前記第３の開口部から前記上昇部側第２の通路に向かう方向に送る第２の送風機と、この第２の送風機を制御する第２の制御手段と、前記上昇部側第２の通路の中途に形成された第２の回収口と、前記下降部側第２の通路の下方端部に形成された第３の回収口とを備えているものである。
【０００７】
また、請求項２記載の選別装置は、請求項１記載の選別装置において、第２の送風機
を制御する制御手段を備え、この制御手段により前記第２の送風機の風速を上げて選別材
料を第２の回収口に向かうをことを阻止して、上昇部側第２の通路へ導くものである。
【発明の効果】
【０００８】
請求項１記載の選別装置によれば、選別材料を比重差において、大中小の三つに分別
することができる。
【０００９】
また、請求項２記載の選別装置によれば、前述した請求項１記載の発明の効果に加え
、選別材料を比重差において、大中小の三つに分別することに加え、１個の選別装置にお
いて、第２の送風機を制御する第２の制御手段を備え、この第２の制御手段により前記第
２の送風機の風速により選別材料を第２の回収口に向かうをことを阻止して、上昇部側第
２の通路、下降部側第２の通路、第３の回収口へ導くことができるため、選別材料を比重
差において、大小の二つに分別することができる。
【図面の簡単な説明】
【００１０】
【図１】図１は、本発明の一実施例の選別装置の概略的正面図である。
【図２】図２は、図１の概略的背面図である。
【図３】図３は、図１の３−３線から見た概略的図である。
【図４】図４は、図１の選別装置により、大中小の比重差に分別する状態の概略的説明図である。
【図５】図５は、図１の選別装置により、大小の比重差に分別する状態の概略的説明図である。
【図６】図６は、図４の一部を拡大して示す一部拡大斜視図である。
【発明を実施するための形態】
【００１１】
本発明の一実施例の選別装置を図面を参照して説明する。
図１に示すＭは選別装置で、選別装置Ｍは、例えば、選別材料（例えば、魚類）を大
中小の比重差に分別するものである。
本体１は、選別材料１０の受け入れ口１ａ（図４参照）を有している。選別材料１０
は、傾斜コンベヤ２により受け入れ口１ａへ運ばれるようになっている。この選別材料１
０は、例えば、比重が大の選別材料１０ａ、比重が中の選別材料１０ｂ、比重が小の選別
材料１０ｃ等が混在しているものである。
【００１２】
１Ａは、本体１内に設けられ、本体１の上方に向かって凸となる略Ｕ字形状の第１の
通路で、この第１の通路１Ａは、第１の通路１Ａの空気流れの上昇部を形成する上昇部側
第１の通路１Ａ１と、第１の通路１Ａの空気流れの下降部を形成する下降部側第１の通路
１Ａ２とを有する。
上昇部側第１の通路１Ａ１は、下降部側第１の通路１Ａ２に比較し、流速を早めるた
めに通路が狭く、かつ、乱流を形成するために、ジグザグ状に屈曲している。
また、上昇部側第１の通路１Ａ１の中途には、受け入れ口１ａに連通する受け入れ連
通通路３が設けられている。つまり、連通通路３は、上昇部側第１の通路１Ａ１の中途と
受け入れ口１ａとを連通する通路となっている。
【００１３】
Ｘは、下降部側第１の通路１Ａ２の中途に設けられ、下降部側第１の通路１Ａ２内の選別材料１０ｂ、選別材料１０ｃ等を運ぶ空気中、空気（空気は、後述する第１の開口部５を介して第１の送風機Ｆ１の吸引によって生じる。）と選別材料１０ｂ、選別材料１０ｃ等に分岐させる第１の分岐部で、第１の分岐部Ｘは、本体１の上部より垂下する第１の仕切り壁４で形成され、選別材料１０ｂ、選別材料１０ｃ等を運ぶ空気が直接、第１の開口部５に吸引されるのを防止している。
そして、５は、本体１に設けられ、第１の分岐部Ｘより上方に位置する第１の開口部
で、６は、本体１に設けられ、第１の分岐部Ｘより下方に位置する第２の開口部である。
この第２の開口部６と第１の開口部５とは、第１の接続通路７で接続されている。第１の
接続通路７は、例えば、本体１の外側に形成されている（図３参照）。
また、Ｆ１は第１の送風機で、第１の送風機Ｆ１は、第１の接続通路７内に設けられ
、第１の接続通路７内の空気を第１の開口部５から第２の開口部６に向かう方向に送るよ
うになっている。なお、第１の送風機Ｆ１のＯＮ、ＯＦＦ、回転数等は、図示しない第１
の制御手段により制御される。
また、８は第２の接続通路で、第２の接続通路８は、本体１内に設けられ、第２の開
口部６と上昇部側第１の通路１Ａ１とを接続するもので、第２の接続通路８内には、整流
板８１、８２等が設けられている（図４、図５及び図６参照）。
なお、１１は、上昇部側第１の通路１Ａ１の下方端部に形成された第１の回収口であ
る。第１の回収口１１を通過したものは、第１のコンベヤＣ１（図１参照）により他の工
程へと搬送される。
【００１４】
図４に示す１Ｂは第２の通路で、第２の通路１Ｂは、本体１内に設けられ、下降部側
第１の通路１Ａ２の第１の分岐部Ｘより下方に位置する部位に連通し、本体１の上方に向
かって凸となる略Ｕ字形状となっている。
この第２の通路１Ｂは、第２の通路１Ｂの空気流れの上昇部を形成する上昇部側第２
の通路１Ｂ１と、第２の通路１Ｂの空気流れの下降部を形成する下降部側第２の通路１Ｂ
２とを有する。
上昇部側第２の通路１Ｂ１は、下降部側第２の通路１Ｂ２に比較し、流速を早めるた
めに通路が狭く、かつ、乱流を形成するために、ジグザグ状に屈曲している。
また、上昇部側第２の通路１Ｂ１の中途には、開口部が設けられ、該開口部は、第２
の回収口１２となっている。第２の回収口１２を通過したものは、第２のコンベヤＣ２（
図１参照）により他の工程へと搬送される。なお、第２の回収口１２は、より具体的には
、図４に示すように、上昇部側第２の通路１Ｂ１の中途の開口部に連通する通路の下端開
口である。
【００１５】
Ｙは第２の分岐部で、第２の分岐部Ｙは、下降部側第２の通路１Ｂ２の中途に設けら
れ、下降部側第２の通路１Ｂ２内の選別材料１０ｃ等を運ぶ空気中、空気（空気は、後述する第３の開口部１４を介して第２の送風機Ｆ２の吸引によって生じる。）と選別材料１０ｃ等に分岐させるもので、第２の分岐部Ｙは、本体１の上部より垂下する第２の仕切り壁１３で形成され、選別材料１０ｃ等を運ぶ空気が直接、第３の開口部１４に吸引されるのを防止している。
そして、１４は、本体１に設けられ、第２の分岐部Ｙより上方に位置する第３の開口
部で、 この第３の開口部１４と上昇部側第２の通路１Ｂ１とは、第３の接続通路１５に
より接続されている。第３の接続通路１５は、例えば、本体１の外側に形成されている（
図４参照）。
また、Ｆ２は第２の送風機で、第２の送風機Ｆ２は、第３の接続通路１５内に設けら
れ、第３の接続通路１５内の空気を第３の開口部１４から上昇部側第２の通路１Ｂ１に向
かう方向に送るようになっている。なお、第２の送風機Ｆ２のＯＮ、ＯＦＦ、回転数等は
、図示しない第２の制御手段により制御される。
そして、第２の送風機Ｆ２による上昇部側第２の通路１Ｂ１の風速は、第１の送風機
Ｆ１による上昇部側第１の通路１Ａ１の風速より小さくなるように、図示しない第２の制
御手段により制御されるようになっている。
また、１７は、下降部側第２の通路１Ｂ２の下方端部に形成された第３の回収口であ
る。第３の回収口１７を通過したものは、第３のコンベヤＣ３（図１参照）により他の工
程へと搬送される。
【００１６】
従って、傾斜コンベヤ２により選別材料１０が受け入れ口１ａを介して、本体１内の
上昇部側第１の通路１Ａ１内に供給されると、図４に示すように、選別材料１０は、上昇
部側第１の通路１Ａ１内の上昇する空気の影響を受け、空気の風速に押される比重が軽い
、例えば、中の選別材料１０ｂ、小の選別材料１０ｃは、下降部側第１の通路１Ａ２へと
運ばれることとなる。
逆に、空気の風速に押されない比重が重い、例えば、比重が大の選別材料１０ａは、
上昇部側第１の通路１Ａ１内を降下し、第１の回収口１１を介して、第１のコンベヤＣ１
（図１参照）により他の工程へと搬送される。
【００１７】
下降部側第１の通路１Ａ２へと運ばれた比重が中の選別材料１０ｂ、比重が小の選別
材料１０ｃは、第１の分岐部Ｘを介して上昇部側第２の通路１Ｂ１へと搬送される。また
、比重が中の選別材料１０ｂ、比重が小の選別材料１０ｃを搬送した空気は、第１の分岐
部Ｘより上昇し、第１の開口部５を介して第１の接続通路７、第２の接続通路８、上昇部
側第１の通路１Ａ１を通って循環するようになっている。
上昇部側第２の通路１Ｂ１へと送られた比重が中の選別材料１０ｂ、比重が小の選別
材料１０ｃは、上昇部側第２の通路１Ｂ１内の上昇する空気の影響を受け、空気の風速に
押される比重が軽い、例えば、比重が小の選別材料１０ｃは、下降部側第２の通路１Ｂ２
へと運ばれることとなる。
逆に、空気の風速に押されない比重が重い、例えば、比重が中の選別材料１０ｂは、
上昇部側第２の通路１Ｂ１内を降下し、第２の回収口１２を介して、第２のコンベヤＣ２
（図１参照）により他の工程へと搬送される。
下降部側第２の通路１Ｂ２へと運ばれた中の小の選別材料１０ｃは、第２の分岐部Ｙ
を介して下降部側第２の通路１Ｂ２の下方側へと搬送され、第３の回収口１７を介して、
第３のコンベヤＣ３（図１参照）により他の工程へと搬送される。
また、小の選別材料１０ｃを搬送した空気は、第２の分岐部Ｙより上昇し、第３の開
口部１４を介して第３の接続通路１５、上昇部側第２の通路１Ｂ１を通って循環するよう
になっている。
このようにして、選別材料（被分別物）を比重差において、大中小の三つに分別する
ことができる。
【００１８】
なお、上述しました選別装置Ｍにおいては、選別材料（被分別物）を比重差において
、大中小の三つに分別したが、
本願発明にあっては、これに限らず、選別材料（被分別物）を比重差において、大小
の二つに分別することができる。
即ち、上述した実施例と同様、例えば、図５に示すように、上昇部側第１の通路１Ａ
１内の空気の風速に押されない比重が重い、例えば、比重が大の選別材料１０ａを上昇部
側第１の通路１Ａ１内を降下させ、第１の回収口１１を介して、第１のコンベヤＣ１（図
１参照）により他の工程へと搬送される。
そして、下降部側第１の通路１Ａ２へと運ばれた比重が小の選別材料１０ｃ（又は比
重が中の選別材料１０ｃ）が上昇部側第２の通路１Ｂ１へと移行し、移行した比重が小の
選別材料１０ｃ（又は比重が中の選別材料１０ｂ）が、第２の回収口１２に向かうをこと
を阻止するように、図示しない第２の制御手段により、第２の送風機Ｆ２の風速を上げる
ようにする。
その結果、下降部側第２の通路１Ｂ２へと運ばれた比重が小の選別材料１０ｃ（又は
比重が中の選別材料１０ｂ）は、第２の分岐部Ｙを介して下降部側第２の通路１Ｂ２の下
方側へと搬送され、第３の回収口１７を介して、第３のコンベヤＣ３（図１参照）により
他の工程へと搬送される。
即ち、図示しない第２の制御手段により第２の送風機Ｆ２の風速により選別材料（被
分別物）を第２の回収口１２に向かうをことを阻止して、上昇部側第２の通路１Ｂ１、下
降部側第２の通路１Ｂ２、第３の回収口１７へ導くことができるため、選別材料（被分別
物）を比重差において、大小の二つに分別することができる。
【符号の説明】
【００１９】
Ｍ      選別装置
１      本体
１ａ    受け入れ口
１Ａ    第１の通路
１Ａ１  上昇部側第１の通路
１Ａ２  下降部側第１の通路
１Ｂ    第２の通路
１Ｂ１  上昇部側第２の通路
１Ｂ２  下降部側第２の通路
５      第１の開口部
６      第２の開口部
７      第１の接続通路
１１    第１の回収口
１２    第２の回収口
１４    第３の開口部
１５    第３の接続通路
１７    第３の回収口
Ｆ１    第１の送風機
Ｆ２    第２の送風機
Ｘ      第１の分岐部
【図１】
2011167623.tif 000003
【図２】
2011167623.tif 000004
【図３】
2011167623.tif 000005
【図４】
2011167623.tif 000006
【図５】
2011167623.tif 000007
【図６】
2011167623.tif 000008